【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
画像生成装置から入力された複数の画像フレームデータを用いて映像を表示する映像表示装置に用いられるレーザ光源装置であって、
レーザ光を射出するレーザ光源と、
前記レーザ光源を駆動する駆動回路と、
前記画像フレームデータの表示に必要な光量である目標光量を取得する目標光量取得手段と、
前記レーザ光源装置の出力光量を検出する出力光量検出手段と、
前記出力光量が前記目標光量となるように、前記駆動回路を制御する制御手段と、
前記制御時の少なくとも異なる二つの目標光量に対する前記駆動回路の駆動条件を用いて、前記レーザ光源の劣化を判定する判定手段と、を備えるレーザ光源装置。
【請求項２】
請求項１記載のレーザ光源装置であって、
前記判定手段は、前記目標光量に対する前記駆動条件が、予め規定された基準変換効率範囲に含まれない場合に、劣化していると判定する、レーザ光源装置。
【請求項３】
請求項２記載のレーザ光源装置であって、更に、
前記駆動条件を複数保存するための記憶部と、
前記記憶部に保存されている複数の駆動条件を用いて前記レーザ光源の出力効率を表すスロープ効率を算出する算出手段と、を備え、
前記基準変換効率範囲は、予め規定された基準スロープ効率を含む所定の範囲であり、
前記判定手段は、前記算出したスロープ効率が、前記基準変換効率範囲内に含まれない場合に、劣化していると判定する、レーザ光源装置。
【請求項４】
請求項３記載のレーザ光源装置であって、更に、
前記記憶部に、予め規定された複数種類の光量のそれぞれに対する前記駆動条件が保存されているかを判断する判断手段を備え、
前記算出手段は、前記少なくとも２つの駆動条件が保存されている場合に、前記スロープ効率の算出を行う、レーザ光源装置。
【請求項５】
請求項１ないし請求項４いずれか記載のレーザ光源装置であって、
前記駆動条件は、レーザ光の出力に必要とされる電圧値もしくは電流値を含む、レーザ光源装置。
【請求項６】
映像表示装置であって、
請求項１ないし請求項５いずれか記載のレーザ光源装置と、
前記画像生成装置から前記複数の画像フレームデータを取得する画像フレームデータ取得手段と、
前記画像フレームデータの表示に必要な光量である目標光量を算出する目標光量算出手段と、
前記目標光量を前記レーザ光源装置へ転送する転送手段と、
前記取得した画像フレームデータと、前記目標光量に応じて制御された前記レーザ光源からの出力光とを用いて前記映像を表示する映像表示手段と、を備える映像表示装置。
【請求項７】
請求項６記載の映像表示装置であって、更に、
前記レーザ光源の出力光量と、所定の光量の出力に必要とされる駆動条件が前記レーザ光源装置の劣化状態に応じて予め登録された特性テーブルと、を用いて、前記レーザ光源が出力可能な最大光量を取得する最大光量取得手段と、を備え、
前記目標光量算出手段は、前記取得した最大光量に基づき、前記レーザ光源に転送する目標光量を算出する、映像表示装置。
【請求項８】
請求項６または請求項７記載の映像表示装置であって、
前記レーザ光源装置として、赤色光を出力するための赤色レーザ光源装置、緑色光を出力するための緑色レーザ光源装置および青色光を出力するための青色レーザ光源装置を備え、
前記目標光量算出手段は、各前記レーザ光源装置からの出力光のホワイトバランスが一定に維持されるように、前記目標光量を算出する、映像表示装置。
【請求項９】
請求項８記載の映像表示装置であって、
前記出力光量取得手段は、前記各色のレーザ光源の出力光量を取得し、
前記目標光量算出手段は、前記各色レーザ光源のうち、予め規定された所定の時点における出力光量に対して、前記取得した出力光量の低下比率が最大のレーザ光源の出力光量に応じて、前記各色のレーザ光源からの出力光のホワイトバランスが一定に維持されるように、前記各色のレーザ光源装置の目標光量を算出する、映像表示装置。
【請求項１０】
請求項６ないし請求項９いずれか記載の映像表示装置であって、更に、
前記画像生成装置から送信された画像データフレームが、全画素データが黒となるように設定された黒フレームであるかを判断する黒フレーム判断手段を備え、
前記レーザ光源装置は、更に、前記黒フレームと判断された場合に、予め規定された前記レーザ光源装置の駆動条件である規定駆動条件を前記記憶部に保存する保存手段を備え、
前記算出手段は、前記規定駆動条件を用いて前記スロープ効率を算出する、映像表示装置。
【請求項１１】
請求項１０記載の映像表示装置であって、更に、
前記最大光量取得手段が取得した前記各画像データフレームの最大光量を記憶するための光量記憶部と、を備え、
前記黒フレーム判断手段は、前記光量記憶部に記憶されている前記各画像データフレームの最大光量を用いて、前記判断を行う、映像表示装置。
【請求項１２】
画像生成装置から入力された複数の画像フレームデータを用いて映像を表示する映像表示装置に用いられるレーザ光源装置の劣化を判定する劣化判定方法であって、
前記画像フレームデータの表示に必要な光量である目標光量を取得し、
前記レーザ光源装置の出力光量を取得し、
前記出力光量が前記目標光量となるように、前記レーザ光源装置を駆動させるための電力を供給する駆動回路を制御し、
前記制御時の少なくとも異なる二つの目標光量に対する前記駆動回路の駆動条件を用いて、前記レーザ光源装置の劣化を判定する、劣化判定方法。
【請求項１３】
レーザ光源装置を用いて映像を表示する映像表示装置が実行する制御方法であって、
前記レーザ光源装置の劣化状態に応じた前記レーザ光源装置が出力可能な最大光量を取得し、
画像生成装置から前記複数の画像フレームデータを取得し、
前記取得した最大光量を用いて前記画像フレームデータの表示に必要な光量である目標光量を算出し、
前記算出された目標光量を用いて、前記レーザ光源装置の出力を制御する、制御方法。
【手続補正２】
【補正対象書類名】明細書
【補正対象項目名】００４９
【補正方法】変更
【補正の内容】
【００４９】
レーザ駆動回路２１１は、ＤＣ／ＤＣコントローラ２１１ａ，レーザ駆動ドライバ２１１ｂから構成される。レーザ駆動回路２１１は、制御部２００からのＡＰＣ指示に従って、レーザ光源装置の出力を制御する。レーザ駆動回路２２１，２３１は、レーザ駆動回路２１１と同様の機能・構成を備える。
【手続補正３】
【補正対象書類名】明細書
【補正対象項目名】００５８
【補正方法】変更
【補正の内容】
【００５８】
スロープ効率６２０は、所定のタイミングにおいて保存されている駆動条件に基づいて算出したスロープ効率を表す。スロープ効率６２０では、例えば、規定光量Ｐ1の出力に駆動電圧Ｖ1’、規定光量Ｐ2の出力に駆動電圧Ｖ2’を必要としている。駆動電圧Ｖ1’、Ｖ2’は、基準スロープ効率６１０の目標光量Ｐ1，Ｐ2に対する駆動電圧Ｖ1，Ｖ2よりも高い。このときのスロープ効率６２０は、図６に示すように、基準変換効率範囲６５０に含まれない。制御部２００は、このように、算出したスロープ効率が基準変換効率範囲６５０に含まれない場合に、レーザ光源装置は劣化していると判断する。
【手続補正４】
【補正対象書類名】明細書
【補正対象項目名】００６５
【補正方法】変更
【補正の内容】
【００６５】
制御部２００は、目標光量を取得すると（ステップＳ２５０）、目標光量とＩ／Ｖ変換部２６１から取得した出力光量とを用いてＡＰＣを行う（ステップＳ２５２）。制御部２００は、ＡＰＣ後のレーザ光源装置の駆動条件をバッファに保存する（ステップＳ２５４）。
【手続補正５】
【補正対象書類名】図面
【補正対象項目名】図１１
【補正方法】変更
【補正の内容】
【図１１】
2009145586.tif 000001